(57)【特許請求の範囲】
【請求項１】
電話コール中に顧客によって呼び出されるいくつかのサービスを処理するための方法であって、コールを処理するためのフェーズ、即ち、電話ネットワーク顧客（Ｕ１）から発信する各コールによって起動され、かつ、最初に要求されたサービスの実現のために適合するサービス制御ポイント（１１）までの、電話ネットワーク（３）を介する前記最初に要求されたサービスの要求の伝送と、前記サービス制御ポイントによる前記最初に要求されたサービスの実行とから成るフェーズを含み、
該方法は、実現されるべき各サービスを、いくつかのサービスに共通な処理シーケンスをまとめたサービス要素に分割するステップ、または、他のサービスとの間の相互作用のためのステップを含んだサービスを実行するための事前フェーズを含み、かつ、前記最初に要求されたサービスの実行が、初期情報メッセージをセットアップして、このメッセージを前記電話コール中に呼び出された少なくとも１つの他のサービスに伝送するステップを含むことを特徴とし、
前記初期情報メッセージは、
前記電話コール中に呼び出された他のサービスによって実行される前に、前記最初に要求されたサービスの事前許可要求の対象となるサービス要素識別子のリストと、
前記電話コール中、他のサービスによるその実行が許可されない、許可のないサービス要素識別子のリストと、
前記電話コール中に呼び出された他のサービスから前記最初に要求されたサービスに通知されなければならない情報タイプの識別子のリストとを含み、
前記少なくとも１つの他の要求されたサービスの実現のために適合する、サービス制御ポイント（１３）による前記少なくとも１つの他の要求されたサービスの実行は、
前記初期情報メッセージを受信するステップと、
前記メッセージに含まれる情報を、前記少なくとも１つの他の要求されたサービスの各サービス要素を実行する前に、チェックして処理し、前記サービス要素が、受信した前記許可のないサービス要素のリスト中にある場合は、当該サービス要素は実行されず、前記サービス要素が、前記許可要求の対象となるサービス要素識別子のリスト中にある場合は、先ず当該サービス要素実行のための許可要求メッセージをネットワークを介して伝送するステップと、
前記各情報を含む情報通知メッセージを発信することにより、通知されるべき情報タイプのリスト内に、そのタイプが現われる情報の通知をするステップとを含むことを特徴とする、電話コール中に複数のサービスを実行するための方法。
【請求項２】
前記要求されたサービスを実行するサービス制御ポイント（１１、１３）による、前記電話コール中に実行される他のサービスから受信された許可要求、および、これらの他のサービスから発信された情報通知を扱い、それを処理するステップであって、許可要求を処理することが、電話ネットワークを介して、前記許可要求メッセージ内で言及されたサービス要素が実行され得るか否かを指定する実行許可要求を発信することにあるステップを含むことを特徴とする請求項１に記載の電話コール中に複数のサービスを実行するための方法。
【請求項３】
許可メッセージが、許可要件の指示を含むことを特徴とする請求項１に記載の電話コール中に複数のサービスを実行するための方法。
【請求項４】
実行されるサービスが、前記電話コール中に実行される最初のサービスではない場合、必要に応じ、実行されるサービスの前記サービス制御ポイントによって実行される下記ステップ、即ち、
前記初期情報メッセージを、許可のないサービス要素のリストおよび許可の対象となるサービス要素のリストからの他のサービス要素の識別子、ならびに、通知されるべき情報タイプのリストからの情報タイプの識別子をこのメッセージに挿入することによって更新して、このメッセージを発信するステップをさらに含むことを特徴とする請求項１乃至３のいずれかに記載の電話コール中に複数のサービスを実行するための方法。
【請求項５】
初期情報メッセージを更新するステップが、それが必要とされる場合、許可の対象となるサービス要素のリストから、許可のないサービス要素のリストに１つのサービス要素を移動するステップをさらに含むことを特徴とする請求項４に記載の電話コール中に複数のサービスを実行するための方法。
【請求項６】
許可の対象となる１つのサービス要素を実行するステップが、前記サービス要素の少なくとも識別子および要求された番号を含む許可要求メッセージを事前に発信して、許可メッセージを待ち、前記許可メッセージを受信し、前記メッセージに含まれる応答に応じて、前記サービス要素を実行する、あるいは、それを実行しないステップを含むことを特徴とする請求項１乃至５のいずれかに記載の電話コール中に複数のサービスを実行するための方法。
【請求項７】
コール制御ポイントが、メッセージを介してサービス制御ポイントと通信を行い、前記メッセージは、オペレーション番号に専用の１つのフィールド（２１）、および、それに続く、このオペレーションに関連するパラメータ・フィールド（２２）を含むメッセージであって、パラメータ・フィールド（２３、２４）を含むあるオペレーション番号を有し、前記フィールドの内の１つの第１フィールド（２３）が、サービス指標を含み、そのフィールドに所定値が割り当てられて、このメッセージの受信側に、前記メッセージの前記後続フィールド（２４）が、実行されるべきサービスに関連するサービス・インタラクション情報を含むことを示し、場合によっては、同一コール中に実行される他のサービスに伝送されなければならないメッセージであることを特徴とする請求項１乃至６のいずれかに記載の電話コール中に複数のサービスを実行するための方法。
【請求項８】
サービス制御ポイント（１１、１３）が、互いの間で、電話ネットワーク（４）を介して通信を行うことを特徴とする請求項１乃至７のいずれかに記載の電話コール中に複数のサービスを実行するための方法。
【請求項９】
サービス要素には、対応するパーティ番号にサービスがコールを行うことを可能にする「コール実現」サービス要素と、利用限度および許可のない番号または番号付けプレフィックスを管理することを可能にする「支払人のプロファイル制御」サービス要素と、通信料金課金に関連する計数情報を管理するための「計数情報管理」サービス要素とが含まれることを特徴とする請求項１乃至８のいずれかに記載の電話コール中に複数のサービスを実行するための方法。
【発明の詳細な説明】
【０００１】
【発明の属する技術分野】
本発明は、同一電話コール中に、複数のサービスを実行するための方法に関するもので、これらのサービスは、遠隔通信ネットワークを介してアクセスすることができる多数のサービスの中から選択されるものである。
本発明は、ユーザに提供される新しいサービスの生成、制御、および、管理を容易にするために実施される、いわゆる、「インテリジェント・ネットワーク」に、それのみという訳ではないが、特に適用可能である。
【０００２】
【従来の技術】
インテリジェント・ネットワークは、ユーザにネットワークに対するアクセスを提供し、その要求、殊に、コールを管理すること、インテリジェント・ネットワークによって提供されるサービス要求を検出すること、および、呼び出されたサービスに対するコールを実行することを実践するコール制御ポイント（ＣＣＰ）を含んだ物理的アーキテクチャを基盤とする。
【０００３】
いくつかのコール制御ポイントは、サービス交換機能（ＳＳＦ）を含み、１つまたは複数のサービス制御ポイント（ＳＣＰ）に接続されて、インテリジェント・ネットワーク・サービスを実行するためのプログラムを使用して、サービス制御機能（ＳＣＦ）を提供する。ＳＣＰは、サービス・データ・ポイント（ＳＤＰ）に接続されて、ユーザおよびサービスに関連する情報を含んだデータベースを介して、サービス・データ機能（ＳＤＦ）を提供することができ、これらのデータは、関連するサービス制御ポイントによって、カスタマイズされたサービスを実行するのに使用される。
【０００４】
サービス制御ポイントに接続されたコール制御ポイントが、ＩＮＡＰ（インテリジェント・ネットワーク・アプリケーション・プロトコル）と名付けられた正規化通信プロトコルを使用して通信を行う。このプロトコルは、ＳＳＦ機能とＳＣＧ機能、ＳＣＦ機能とＳＣＦ機能、ＳＣＦ機能とＳＤＦ機能のそれぞれの間での通信を確立する。
【０００５】
コール制御ポイントは、ＩＳＵＰ（統合サービス・ディジタル網−ユーザ部分）プロトコルを使用して、互いの間で通信を行い、ＩＮＡＰプロトコルとＩＳＵＰプロトコルの間の相互運用性は、Ｑ．８６０勧告およびＱ．７６５．４勧告（この場合、ＣＳ２（能力セット））に基づくＯＣＣＲＵＩ（出力チャネル・コール関連ユーザインタラクション）機構を実装するＳＳＦ機能によって提供される。
【０００６】
現在、このインテリジェント・ネットワーク・アーキテクチャに基づいて、オペレータは、例えば、検索対象のパーティに直接にコールすることが可能な電話登録簿サービス、不許可番号またはプレフィックスをリストすることを可能にするコール制限サービス、消費制限管理を必要とする事前支払いサービスを提供する。その他には、遠隔通信分野での最近の技術進歩により、通訳サービス、通信が行われている間の料金の表示、音声情報アクセスなどの、多くの追加サービスを考慮することが可能となっている。
【０００７】
このような情況で、コール中に、サービスの内のいくつかを顧客に対して提供することが可能なとき、多数の問題が生じる。コール中、例えば、顧客は、登録簿サービスのコール実行サービスにアクセスする前に、音声登録簿サービスにアクセスを得、あるいは、オペレータを介して、選択したサービスと連続的に接続され得る。また、顧客は、項目別請求書を受領することにより、有効となる通信制限から利益を得ることができ、あるいは、不在の場合または回線が話中である場合、そこに自分の着信コールが転送される音声メールを活用することができる。
【０００８】
単一コール中のいくつかのサービスに対するこれらのアクセスは、これらのサービスに対するアクセスを許可する問題、それらの使用に対する課金の問題、より詳細には、コールの十分な内訳を備えた請求書を準備する問題、および、伝票を確立する問題を伴う。さらに、このような複数のアクセスを行うことは、サービス間の干渉をもたらす可能性が高く、これは、とりわけ、１つのサービスが、予期せず別のサービスによって使用されているリソースを利用しようとして、サービス・オペレーションでの外乱を引き起こすとき、特に、不許可番号または番号付けプレフィックス、および、顧客に割り当てられた利用限度の処理がなされるべきとき、ならびに、電話コールに対する支払伝票を確立するときに発生する。
【０００９】
一例として、顧客が所定リストの不許可番号またはプレフィックスを使用してコール制限サービスに加入したとき、その後、その顧客が、登録簿サービスにアクセスし、このサービスが、顧客が探しているパーティに対してコールを行うことができる場合、このサービスは、呼び出されたコールを実行するときに、不許可番号のリストを考慮に入れなければならず、また、場合によっては、顧客のプリペイドによる利用限度も考慮に入れなければならない。さらに、項目別請求書に関しては、同一コール中に呼び出されたすべてのサービスが、このコールに関連する項目別請求書に反映されなければならない。
【００１０】
今日、これらの問題を解決するために、いくつかの解決法が実施されている。１つの解決法は、一度に２つずつ、サービス間のインタラクション処理を行なうというもので、これは、同一コールは２つのサービスだけにアクセスするものと想定している。たとえ、現在利用可能なサービスが少数であるにしても、この手法は、複雑であることが判明している。また、新しいサービスが導入されるたびに、毎回既存のサービスを変更して、その新しいサービスとのインタラクションを管理することができるようにしなければならないという問題もある。
【００１１】
多くの追加サービスおよび２つ以上のサービスに対するアクセスが、同一コール中に提供されなければならないとする場合、この解決法は、検討されなければならない多くの問題のために、適用不可能であることが分かる。
【００１２】
別の解決法は、外部データベースを実装するというもので、この方法の場合は、この外部データベースを介して、提供される異なるサービスが、互いに情報を交換することができる。この方法においては、それらのサービスが、互いに交換し合わなければならない情報を予測することが必要となる。というのは、データベース内に新しい情報を追加することは、サービスの中断なしに、また変更済みのデータを使用するすべてのサービスによって解決される変更処理なしには、単純な方式で実現することはできないからである。
【００１３】
要求／応答型サービスの間での正規化交換プロトコルが存在する。このプロトコルは、コール処理中に実行されている１つのサービスが、別のサービスを呼び出すことができるようにされる。ただし、このプロトコルにおける、１つのサービスの別のサービスによる呼出しは、現行のコールとは別の所で行われる。したがって、このプロトコルは、同一コール中に実行されるサービス間のインタラクション処理には適していない。
【００１４】
【発明が解決しようとする課題】
本発明はこのような従来技術における欠点に鑑みてなされたもので、本発明の課題は、複数のサービス間における協調のための一般的モードを定義することによって、上述した従来技術における欠点を除去することにある。
【００１５】
【課題を解決するための手段】
この課題を解決するための本発明は、電話コール中に呼び出されるいくつかのサービスを処理するための方法を提供するもので、この方法は、コールを処理するフェーズを含み、このフェーズは、電話ネットワーク顧客から発信する各コールによって起動され、また、要求されたサービスの実現のために適合するサービス制御ポイントまでの、電話ネットワークを介するサービス要求の伝送と、そのサービス制御ポイントによる、要求されたサービスの実行とを含む。
【００１６】
本発明によれば、この方法は、実行されるべき各サービスを、いくつかのサービスに共通の処理シーケンスをまとめたサービス要素に細分する、または、他のサービスとの間のインタラクションのための事前フェーズを含むことを特徴とし、また、サービス実行は、初期情報メッセージをセットアップして、前記電話コール中に呼び出された他のサービスにこのメッセージを伝送するステップを含む。
【００１７】
この初期情報メッセージは、前記コール中に呼び出された他のサービスによって実行される前に、前記サービスの事前許可要求の対象となるサービス要素識別子のリストと、前記コール中に、他のサービスによるその実行が許可されない、許可のないサービス要素識別子のリストと、前記コール中に呼び出された他のサービスから前記最初に要求されたサービスに通知されなければならない情報タイプの識別子のリストとを含む。
【００１８】
サービスをサービス要素に細分することにより、本発明は、前記サービスによって実行され、他のサービスとの間のインタラクションを行い、または、いくつかの異なるサービスの中に見られる処理の部分を識別することを可能にする。したがって、本発明は、新しいサービスが提供されることになるときにも、単純化を可能にする。
【００１９】
そうしたサービス要素には、例えば、サービスが、発呼側顧客が直接に要求していない番号に対するコールを起動する、コール実現と名付けられたもの、または、通信料金を判定するために使用されたすべての情報を収集することを可能にするように課金項目をセットアップして、例えば、項目別請求書を確立することが含まれる。
【００２０】
可能なサービス要素の数は、想像され得るサービスの数よりもずっと少ないことが判明している。したがって、サービス要素間のインタラクションが、サービス間での協調を可能にするように研究されている１セットの所定サービス要素を有することが、多数の新しいサービスを、それらの新しいサービスと既存のサービス間でのインタラクションを考察することなく、容易に提供することを可能にする。
【００２１】
好ましくは、本方法は、前記要求されたサービスを実行するサービス制御ポイントによる、前記コール中に実行される他のサービスから受け取られた許可要求、および、他のサービスから発信された情報通知を扱い、処理するステップをさらに含み、許可要求を処理するステップは、電話ネットワークを介して、前記許可要求メッセージ内で言及されたサービス要素が実行され得るか否かを指定する実行許可要求を発信することを内容とする。
【００２２】
本発明の特徴の１つによれば、実行されているサービスが、同一コール中に実行される最初に要求されたサービスではない場合、本方法は、実行されている前記サービスによって実行される下記のステップをさらに含む。
【００２３】
即ち、それは、初期情報メッセージを受信するステップと、このメッセージ内に含まれる情報を処理して、呼び出されたサービス要素を実行する前に、必要な許可を要求し、許可のないサービス要素を実行せず、かつ、それらの情報を含んだ情報通知メッセージを発信することによって通知されるべき情報タイプのリスト内に、そのタイプが現れる情報の通知を処理するステップと、それが必要な場合、前記初期情報メッセージを、このメッセージに、許可のないサービス要素および許可の対象となるサービス要素のリストからの他のサービス要素の識別子、および、通知されるべき情報タイプのリストからの情報タイプの識別子を挿入することによって更新し、このメッセージを発信するステップとから成るものである。
【００２４】
【発明の実施の形態】
本発明による１つの好ましい実施形態を下記に、添付の図面を参照して、いかなる意味でも制限することを意図しない一例として説明する。
【００２５】
まず、本発明による方法は、実現されるべきサービスをサービス要素、即ち、いくつかのサービス内に共通に見ることができる処理シーケンスに細分するステップ、または、他のサービスに対して重要な情報を処理することを介するなどの、他のサービスとの間のインタラクションを行なうステップを提供する。
【００２６】
この方法は、詳細には、図１に概略で示したインテリジェント電話ネットワークに適用される。この図では、電話接続３、４、５が、発呼側ユーザＵ１を着呼側ユーザＵ２に接続する。この電話接続は、回線３を介してユーザＵ１に直接に接続された開始コール制御ポイント（ＣＣＰ）６と、回線５を介してユーザＵ２に直接に接続された終了コール制御ポイント（ＣＣＰ）７とを含む。必要に応じ、両方のコール制御ポイント６、７の間の接続４が、他のコール制御ポイントを使用する電話ネットワークによってセットアップされる。
【００２７】
音声メールボックス・サービス、登録簿サービス、音声メッセージ・サービスなどの特定のサービスを提供するため、インテリジェント・ネットワークが、サービス制御ポイント（ＳＣＰ）１１、１３を含み、これらは、それぞれ、プロトコルＩＮＡＰ／ＴＣＡＰ／ＳＣＣＰ／ＭＴＰのスタックを適用するセマフォ・ネットワーク１２、１４を介して、コール制御ポンント６、７などの、それぞれ１つのコール制御ポイントに接続されている。
【００２８】
ＩＮＡＰプロトコルにより、コール制御ポイントは、メッセージ３０を介してサービス制御ポイントと通信を行い、このメッセージは、オペレーション番号２１に専用の１つのフィールド、および、それに続いて、このオペレーションに関連するパラメータ・フィールド２２を含み、このパラメータ・フィールドは必要な数だけ用意される（図２）。あるオペレーション番号を有するメッセージは、サービス標識ＩＳを受け取ることを目的とする特定のフィールド２３を含む。
【００２９】
他の点では、コール制御ポイント６、７の間の伝送が、ＩＳＵＰプロトコルに従って実行され、ＩＮＡＰプロトコルとＩＳＵＰプロトコルの間の相互運用性は、ＯＣＣＲＵＩによって定義される機構を使用して提供され、ＣＳ２（能力セット）のためのＳＳＦ機能によって実装されている。これらの機構により、フィールド２３および２４（図２および図３）が、接続４の間で伝送されて、コール制御ポイントをリンクし、接続１２、１４が、コール制御ポイント６、７とサービス制御ポイント１１、１３をリンクしている。
【００３０】
本発明は、フィールド２３、および、フィールド２３を利用するオペレーションのためのメッセージ３０内で後続フィールド２４を使用するステップを提供する。このステップは、フィールド２３に、このメッセージの後続フィールドが、他のサービスに伝送されなければならない可能性のある要求されたサービスに関連する情報を含んだサービス・インタラクション・メッセージを含むことを示すための所定値を割り振るものである。フィールド２３が存在し、所定値を有する場合、コール制御ポイント６のＳＳＦ機能は、このフィールドおよび後続フィールド２４の値を、接続４を介して転送することになる。
【００３１】
ユーザＵ１が、いわゆる音声メールボックスによって実施されるサービスなどにつき、そのサービスに対応する番号にダイヤルした場合、この番号が、ネットワークを介してそのユーザ番号とともに、第１コール制御ポイント６に伝送される。コール制御ポイント６は、サービスを実行する必要があるかどうか、また、このサービスは、ローカル方式で管理されるかどうかを判定して、そうである場合、制御をＳＳＦ機能に与える。逆の場合、この要求は、ネットワーク４を介して伝送され、その要求されたサービスに対応するコール制御ポイント７に供給されることになる。
【００３２】
適切なＳＳＦ機能を有するコール制御ポイント６が、ユーザ番号およびサービス番号も含んだサービス要求を処理して、それをサービス制御ポイント１１に、その要求されたサービスが後に実行されるように伝送する。
【００３３】
本発明によれば、サービス制御ポイント１１によって行われるこの実行中、そのサービスは、実行されるサービスによって応答されなければならない事前許可要求の対象となるサービス要素識別子のリスト、許可のないサービス要素識別子のリスト、および、実行されるサービスがそれについて通知されなければならない情報タイプに関する識別子のリストを作成する。
【００３４】
これらのリストは、サービス要素および情報タイプの符号化された番号で構成される。
【００３５】
ユーザ番号、着呼側番号、および、これらのリストを含んだ初期情報メッセージ３１（図３）が、電話ネットワークを介して、コール制御ポイント６を通って伝送される。着呼側番号が再びサービスである場合、そのメッセージは、サービス制御ポイント１３に接続されたコール制御ポイント７に伝送されて、その要求されたサービスが実行される。
【００３６】
そのメッセージがサービス制御ポイント１３に供給されて、許可の対象となるサービス要素のリスト、許可のないサービス要素のリスト、ならびに、要求されたサービスがそれについて通知されなければならない情報のタイプのリストを完成させることによって、要求されたサービスを実行する。
【００３７】
サービス制御ポイント１３によるサービスの実行中、サービス制御ポイント・コンピュータが、サービス要素のすべての実行の前に、その要素が、許可のないサービス要素のリスト内、または、事前許可の対象となるサービス要素のリスト内にあるかどうかをチェックする。
【００３８】
前者の場合、要求されたサービス要素は、実行され得ない。後者の場合、コンピュータは、ネットワークを介して、そのサービス要素を実行するための許可要求メッセージを伝送し、このメッセージは、サービス要素番号、ならびに、発呼側パーティ番号および着呼側パーティ番号を含む。初期情報メッセージを発信したサービス制御ポイント１１は、このメッセージを受信し、そのコールに関するサービス要素が実行され得るか否かをチェックして、関係するサービス要素が、実行され得るか否かを示す許可指標を含んだ許可要求に応答するメッセージを、ネットワークを介して送り返す。
【００３９】
許可のためのこのメッセージがサービス制御ポイント１３のコンピュータに供給され、このメッセージに含まれる応答により、そのサービスの現在の実行を継続する。
【００４０】
メッセージがネットワークを介して伝送されるとき、それは、すべてのコール制御ポイント６、７、および、すべてのサービス制御ポイント１１、１３によって、連続的に監視されることに留意すべきである。したがって、１つのサービス制御ポイント１１が、あるサービス要素に対して許可要求を課し、別のサービス制御ポイント１３が、このサービス要素の実行を許可しない場合、許可のないサービス要素のリスト、許可の対象となるサービス要素のリスト、および、通知されるべき情報のリストを含んだ初期情報メッセージが更新されて、関係するサービス要素の識別子が、許可の対象となるサービス要素のリストから、許可のないサービス要素のリストに転送される。
【００４１】
サービス制御ポイント１３によるサービスの実行中、サービス制御ポイントのコンピュータが、グローバル情報が処理されるたびに毎回、そのタイプが、通知されるべき情報タイプのリストに含まれるかどうかをチェックする。それが含まれる場合、それは、通知されるべき情報を含んだ情報通知メッセージを作成する。このメッセージもまた、ネットワークを介して、これらの情報を処理するように要求したサービス制御ポイントに伝送される。
【００４２】
サービス制御ポイント１１、１３によって交換されるすべてのメッセージは、発呼側ユーザと要求されたサービスに関するサービス制御ポイント１１の間で接続３、４を提供したネットワークを介して、また、接続１２、１４を介して伝送されることに留意する必要がある。この方式では、サービス制御ポイント１１、１３の間で直接の相互接続をセットアップする必要性はなく、各現行のコールに固有となるそれらの間での接続を確立するための機構を提供する。
【００４３】
この方法は、詳細には、１回の電話コール中に、いくつかのサービスが連続的に呼び出される場合に適用される。例えば、識別カードの使用を介するアクセス・サービスは、そうした識別カードの保持者が、ネットワークに接続された任意の端末から、その電話ネットワークにアクセスすることを可能にする。このサービスは、各カード保持者と許可のない番号（またはプレフィックス）のリスト、および、利用限度を含んだユーザのプロファイルをリンクする。
【００４４】
したがって、このサービスは、要求された番号が許可されているかどうかをチェックする「支払人のプロファイル制御」、利用限度を管理するための「計数情報管理」、および、要求された番号コールを指示する「コール実現」などのサービス要素を含み、また、その一部は、ユーザとのダイアログを提供するためのサービスに専用である。
【００４５】
名前から（場合によっては、アドレスおよびファースト・ネームから）番号を検索する、または、番号から名前を検索するための登録簿サービスが、「計数情報管理」サービス要素および「コール実現」サービス要素を含む。
【００４６】
音声情報（例えば、交通情報）にアクセスすることを可能にするサービスが、「計数情報管理」サービス要素、および、場合によりユーザの選択が、例えば、その料金が同一でない別のサービスにコールを行うというものであれば、「コール実現」サービス要素を含む。
【００４７】
識別カードの使用を介するアクセス・サービスは、例えば、サービス制御ポイント１１によって実行されたとき、その通信中にコールされる可能性のある他のサービスに対するプロファイル制御を不許可にする（このコールの支払人に対する責任を取り、他のどのサービスにも、そのコール中にその支払人のプロファイルを制御することが許可されない）。このサービスは、「コール実現」サービス要素が実行され得る前に、まず、許可要求を課す。さらに、このサービスは、全コールに関する計数情報を管理するので、すべての計数情報の通知を受ける必要がある。
【００４８】
したがって、許可のないサービス要素のリストは、「支払人のプロファイル制御」サービス要素の識別を含み、許可の対象となるサービス要素のリストは、「コール実現」サービス要素の識別を含み、また、通知されるべき情報タイプのリストは、「計数情報」タイプの識別を含む。これらのリストは、例えば、初期情報メッセージ内で、回線１２、４上のネットワークを介して伝送される。
【００４９】
計数情報は、例えば、サービス識別子およびコール記述を含み、このコール記述は、通信開始日、通信持続時間、および、通貨単位識別子、スケール、および、値から構成されるコストを一緒にまとめる。
【００５０】
カードの使用を介するアクセス・サービスにコールを行うとき、ユーザは、コール達成を伴う音声登録簿サービスを要求し、検索されている対応するパーティの番号が見つかったとき、リストが、サービス制御ポイント１３などの、要求されたサービスを実現するサービス制御ポイントまで伝送される。
【００５１】
要求者によって検索される対応するパーティの番号が見つかったとき、登録簿サービスは、カードの使用を介して、アクセス・サービスに許可要求を発信して、「コール実現」サービス要素にコールを行い、要求者のプロファイルに現れるところにより、要求の番号にコールを行うことがその要求者に許可されているかどうかを、アクセス・サービスがチェックできるようにし、また、利用限度が存在する場合、その要求の番号で要求者が、その間、通信を持続できる最大期間をチェックできるようにする。
【００５２】
そうした許可要求は、詳細には、「コール実現」サービス要素の識別、および、要求された番号を含む許可メッセージとして伝送される。これらの情報が要求されてから、登録簿サービスは、また、要求された番号、および、登録簿サービス自体に関連する計数情報の通知も情報通知メッセージで行う。
【００５３】
次に、登録簿サービスは、アクセス・サービスが、カードの使用を介して、この許可要求メッセージを受信して処理する間、応答を待つ。要求者のプロファイル内で、要求された番号がコールされ得るかどうかをチェックした後、アクセス・サービスは、カードの使用を介して、許可識別子、および、場合によっては、許可要件を含んだ許可メッセージを送信する。これらの許可要件は、利用限度または最長の許可されたコール期間を含み得る。
【００５４】
登録簿サービスは、このメッセージを受信して、その内容に応じて、要求者と要求された番号の間の接続をセットアップし、あるいは、それをセットアップしない。
【００５５】
登録簿サービス内で、それに対してコールされている番号は、別の音声サービスであり得る。この場合、この別の音声サービスは、「コール実現」サービス要素にコールを行って、カードの使用を介して計数情報をアクセス・サービスに通知する前に、許可要求を実行しなければならないことがあり得る。
【００５６】
図２および図３は、サービス制御ポイント１１、１３とそれぞれのコール制御ポイント６、７との間の接続１２、１４を介して、またコール制御ポイントの間の接続４を介して、それぞれ、交換されるメッセージを示している。
【００５７】
本発明は、フィールド２３、２４を指定することによって、対応するプロトコル内で推奨されるメッセージ・レイアウトを尊重し、フィールド２３は、後続フィールドが、本発明により、サービス・インタラクション・メッセージ、つまり初期情報メッセージ、許可メッセージ、または、許可要求に対する応答メッセージ、または、通知情報メッセージを含むことを示していることに留意すべきである。
【００５８】
前記説明で、サービス間のメッセージが、電話ネットワークを介して交換される場合、任意の他の伝送手段を考慮することができ、これは、例えば、サービス制御ポイント１１、１３の間での直接の接続であり、この接続は、コールを定義するすべてのパラメータを一緒にまとめるコール・コンテキストの概念、および、同一コール中に、そのコール・コンテキストを再伝送する必要なしに、いくつかのメッセージを交換することを可能にするセッションの概念をサポートする。
【００５９】
【発明の効果】
本発明は上述した通りであり、本発明によれば、サービスがサービス要素に細分されてそのサービスが実行され、他のサービスとの間のインタラクションが行われ、または、いくつかの異なるサービスの中に見られる処理の部分を識別することが可能となる。したがって、本発明は、新しいサービスが提供されることになるときにも、単純化を可能にする効果がある。
【図面の簡単な説明】
【図１】インテリジェント・ネットワーク内での２つのパーティ間の電話接続を概略的に示す図である。
【図２】本発明による方法によって使用される、１つのサービス制御ポイント（ＳＣＰ）と１つのコール制御ポイント（ＣＣＰ）との間で交換されるメッセージの構造を示す図である。
【図３】本発明による方法によって使用される、２つのコール制御ポイント（ＣＣＰ）間で交換されるメッセージの構造を示す図である。
【符号の説明】
３    電話接続
４    電話接続
５    電話接続
６    開始コール制御ポイント
７    終了コール制御ポイント
１１  サービス制御ポント
１３  サービス制御ポイント
１２  セマフォ・ネットワーク
１４  セマフォ・ネットワーク
２１  フィールド
２２  フィールド
２３  フィールド
２４  フィールド
３０  メッセージ
３１  メッセージ
ＳＣＰ  サービス制御ポイント
ＳＣＦ  サービス制御機能
ＳＳＦ  サービス・スイッチング機能
ＣＣＰ  コール制御ポイント
Ｕ１、Ｕ２  ユーザ
【図１】
0003939942.tif 000002
【図２】
0003939942.tif 000003
【図３】
0003939942.tif 000004